(57)【要約】      （修正有）【課題】便器本体やロータンクを支持する固定フレームのフレーム本体部を支持させるための補強木（補強材）を、隅柱、補強下地、柱側受け木のいずれに接続する場合であっても柔軟に対応することを可能にする壁掛け便器用の固定具を提供すること。【解決手段】便器本体の後端部側を接続して支持する固定フレームの後方側に設けられ、固定フレームのフレーム本体部を、補強木３５を介して建築部材に接続するための壁掛け便器用の固定具３７であって、補強木３５に接続する補強木側接続部４０と、建築部材の壁材を通じて、壁裏に配された建築部材に接続する壁側接続部４１と、建築部材の柱材に接続する柱側接続部４２とを備える。【選択図】図７
2020111919.tif 000002
【特許請求の範囲】
【請求項１】
便器本体の後端部側を接続して支持する固定フレームの後方側に設けられ、前記固定フレームのフレーム本体部を、補強木を介して建築部材に接続するための壁掛け便器用の固定具であって、
前記補強木に接続する補強木側接続部と、
前記建築部材の壁材を通じて、壁裏に配された前記建築部材に接続する壁側接続部と、
前記建築部材の柱材に接続する柱側接続部とを備える、壁掛け便器用の固定具。
【請求項２】
前記便器本体の幅方向に沿う水平の横方向に延設された前記補強木の前面に面接触して接続する前記補強木側接続部と、
前記補強木側接続部から前記補強木の側端部を覆うように後方に延びる段部と、
前記段部から前記補強木の幅方向外側に延びる前記壁側接続部と、
前記壁側接続部から前方側に延びる前記柱側接続部とを備える、請求項１に記載の壁掛け便器用の固定具。
【請求項３】
前記補強木側接続部と前記壁側接続部と前記柱側接続部がそれぞれ、前記補強木又は前記建築部材にビス止めして接続するための貫通孔を備え、
前記壁側接続部には、前記壁裏に配された前記建築部材の補強下地に接続するための補強下地用の貫通孔と、前記柱材に取り付けられた柱側受け木に接続するための受け木用の貫通孔とが設けられている、請求項１または請求項２に記載の壁掛け便器用の固定具。
【請求項４】
前記壁側接続部は幅寸法が前記柱側接続部を前記柱材に接続する際に用いる工具に応じて設定されている、請求項１から請求項３のいずれか一項に記載の壁掛け便器用の固定具。
【発明の詳細な説明】
【技術分野】
【０００１】
本発明は、壁掛け便器用の固定具に関する。
【背景技術】
【０００２】
従来、トイレルームの壁側に設置した固定フレームに後端側を接続し、片持ち状態で便器本体を設けてなる壁掛け便器（壁掛け式の便器装置）がある（例えば、特許文献１参照）。
【０００３】
壁掛け便器は、例えば、便器本体とともに固定フレームにロータンクを支持させて配設し、便器本体の後端側に設けられた排水口（排水孔）に排水管を接続し、固定フレーム、ロータンク、排水管等を、カウンターパネル（天板）及び前面パネルを備えてなるトイレ用キャビネット内に納めて構成されている。
【０００４】
これにより、トイレルームに便器本体のみが片持ち状態で露出し、通常の床面設置型の便器装置と比較し、トイレルーム内の意匠性等をよくすることができ、また、便器本体と床面の間に空間が形成されるため、清掃等、メンテナンス性を向上させることが可能になる。
【先行技術文献】
【特許文献】
【０００５】
【特許文献１】特開２０００−２７３９３３号公報
【発明の概要】
【発明が解決しようとする課題】
【０００６】
ここで、上記のような壁掛け便器は、陶器などの便器本体が片持ち状態で配設されるため、トイレルームを形成する建築部材に固定フレームを強固に固定して配設することが重要であり、例えば、壁面に水平の横方向に沿って配設した補強木（補強材）と、便器本体及びロータンクを支持する固定フレームのフレーム本体部とを接続し、補強木の両端部側をトイレルームの角部に配設される左右一対の隅柱（及び壁材）等にそれぞれ、固定金具（固定具）を用いて接続するようにしている。
【０００７】
一方、補強木は、一対の隅柱の間隔に合わせて現場などでその長さを調整するが、例えば一対の隅柱の間隔が大きい場合や隅柱が無い場合では、隅柱ではなく、予め壁裏に、一対の隅柱に架け渡すように配設された補強下地や、隅柱に取り付けて上下方向に配設された柱側受け木に補強木の両端部側を接続固定し、フレーム本体部を支持させることもある。
【０００８】
しかしながら、隅柱ではなく、補強下地や柱側受け木に補強木の両端部側を接続して固定する場合には、隅柱に接続するための固定金具とは異なる固定金具を別途用意する必要があり、施工性、経済性などの観点で、柔軟に対応できないという問題があった。
【０００９】
本発明は、便器本体やロータンクを支持する固定フレームのフレーム本体部を支持させるための補強木（補強材）を、隅柱、補強下地、柱側受け木のいずれに接続する場合であっても柔軟に対応することを可能にする壁掛け便器用の固定具を提供することを目的とする。
【課題を解決するための手段】
【００１０】
本発明者は、補強木を、隅柱、補強下地、柱側受け木のいずれに接続する場合であっても柔軟に対応することを可能にする手段を見出し、本発明を完成するに至った。
【００１１】
（１）本発明は、便器本体（例えば、後述の便器本体４）の後端部側を接続して支持する固定フレーム（例えば、後述の固定フレーム８）の後方側に設けられ、前記固定フレームのフレーム本体部（例えば、後述のフレーム本体部１５）を、補強木（例えば、後述の補強木３５）を介して建築部材（例えば、後述の隅柱１０４、補強下地１０５、柱側受け木１０６）に接続するための壁掛け便器用の固定具（例えば、後述の固定具３７）であって、前記補強木に接続する補強木側接続部（例えば、後述の補強木側接続部４０）と、前記建築部材の壁材（例えば、後述の後壁１０１）を通じて、壁裏に配された前記建築部材に接続する壁側接続部（例えば、後述の壁側接続部４１）と、前記建築部材の柱材（例えば、後述の隅柱１０４）に接続する柱側接続部（例えば、後述の柱側接続部４２）とを備えることを特徴とする。
【００１２】
（２）本発明は、上記（１）において、前記便器本体の幅方向（例えば、後述の幅方向Ｔ２）に沿う水平の横方向に延設された前記補強木の前面に面接触して接続する前記補強木側接続部と、前記補強木側接続部から前記補強木の側端部を覆うように後方に延びる段部（例えば、後述の段部４３）と、前記段部から前記補強木の幅方向外側に延びる前記壁側接続部と、前記壁側接続部から前方側に延びる前記柱側接続部とを備えてもよい。
【００１３】
（３）本発明は、上記（１）または（２）において、前記補強木側接続部と前記壁側接続部と前記柱側接続部がそれぞれ、前記補強木又は前記建築部材にビス止め又はボルト止めして接続するための貫通孔（例えば、後述の貫通孔４５、４６）を備え、前記壁側接続部には、前記壁裏に配された前記建築部材の補強下地（例えば、後述の補強下地１０５）に接続するための補強下地用の貫通孔（例えば、後述の補強下地用の貫通孔４５）と、前記柱材に取り付けられた柱側受け木（例えば、後述の柱側受け木１０６）に接続するための受け木用の貫通孔（例えば、後述の受け木用の貫通孔４６）とが設けられていてもよい。
【００１４】
（４）本発明は、上記（１）から（３）のいずれかにおいて、前記壁側接続部は幅寸法が前記柱側接続部を前記柱材に接続する際に用いる工具に応じて設定されていてもよい。
【００１５】
ここで、本発明における「補強木」、「補強下地」、「柱側受け木」は必ずしも木材、木質材でなくてもよく、それぞれ、「補強材」、「補強下地材」、「柱側受け材」を意味する。
【発明の効果】
【００１６】
本発明によれば、便器本体やロータンクを支持する固定フレームのフレーム本体部を支持させるための補強木を、隅柱、補強下地、柱側受け木のいずれに接続する場合であっても柔軟に対応することが可能になる。
【図面の簡単な説明】
【００１７】
【図１】本発明の一実施形態に係るトイレルーム、壁掛け式の便器装置を示す正面図である。
【図２】本発明の一実施形態に係る壁掛け式の便器装置を示す平面図である。
【図３】本発明の一実施形態に係る壁掛け式の便器装置を示す側面図である。
【図４】本発明の一実施形態に係る壁掛け式の便器装置を示す斜視図である。
【図５】本発明の一実施形態に係る壁掛け式の便器装置の固定フレームを示す斜視図である。
【図６】本発明の一実施形態に係る壁掛け式の便器装置の排水部を示す側面図である。
【図７】本発明の一実施形態に係る壁掛け便器用の固定具を示す斜視図であり、固定具によって補強木を隅柱に接続した状態を示す図である。
【図８】本発明の一実施形態に係る壁掛け便器用の固定具を示す斜視図であり、固定具によって補強木を補強下地に接続した状態を示す図である。
【発明を実施するための形態】
【００１８】
以下、図１から図８を参照し、本発明の一実施形態に係る壁掛け便器用の固定具について説明する。
【００１９】
ここで、図１は、トイレルーム１００の内部を示した図であり、本実施形態のトイレルーム１００は、略直方形の空間で、長手方向がトイレルーム１００の手前側の入口（不図示）と入口に対向する奥側の後壁１０１とを結ぶ前後方向Ｔ１に沿っている。
【００２０】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２１】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２２】
なお、本実施形態において、上下方向Ｔ３は天地方向であり、幅方向Ｔ２はトイレルーム１００の入口側から後壁１０１に向かって左右を結ぶ横方向を意味する。
【００２３】
そして、トイレルーム１００には、図１から図３に示すように、奥側の後壁１０１に一体にトイレ用キャビネット３が設けられ、トイレ用キャビネット３の前パネル３ａから壁掛け式の便器装置（壁掛け便器）２の便器本体４が片持ち状態で前方に突き出すように設けられている。
【００２４】
具体的に、本実施形態の壁掛け式の便器装置２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２５】
便器本体４は、図４に示すように、上部が開口した凹状のボウル部４ａを有する陶器などの容器であり、ボウル部４ａの底部に汚物等を排出する排水孔（排水口）４ｂを備えて形成されている。また、便器本体４は、トラップ部４ｃを備え、排水孔４ｂがトラップ部４ｃを通じて便器本体４の後端側（背面側）に開口形成されている。
【００２６】
図１から図４に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向に沿う回動軸周りに回動可能、ひいては便器本体４のボウル部４ａを開閉可能に設けられている。
【００２７】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００２８】
フレーム本体部１５は、幅方向Ｔ２に所定の間隔をあけて立設された一対の縦材（縦桟）１７、１８と、一対の縦材１７、１８の上端部に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００２９】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００３０】
本実施形態のフレーム本体部１５は、横材１９のＬ字アングルの一片１９ａ側をその板面を前後方向Ｔ１に向け、一対の縦材１７、１８の前面に面接触するように配し、他片１９ｂ側をその板面を上下方向Ｔ３に向け、一対の縦材１７、１８の上端に接触するように配しつつ、溶接やボルト接合などの適宜手段を用いて、一対の縦材１７、１８に一体に接続固定されている。
【００３１】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３２】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３３】
フレーム本体部１５には、ロータンク７を支持するタンク支持部材２２が取り付けられている。
【００３４】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３５】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３６】
フレーム本体部１５には、図３から図６に示すように、便器本体４の排水孔４ｂと、排水本管１１に繋がる排水本管接続部２３とを接続するための排水管接続部材２４が取り付けられている。
【００３７】
排水管接続部材２４は、図５、図６に示すように、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００３８】
一方、フレーム本体部１５を隅柱１０４、補強下地１０５、柱側受け木１０６などの建築部材に接続して支持するための接続支持部１６は、図２から図５に示すように、フレーム本体部１５の一対の縦材１７、１８の下端部をトイレルーム１００の床構造１０３に接続するための下側接続部３０と、フレーム本体部１５の横材（上桟）１９を後方の壁側の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００３９】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００４０】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４１】
上側接続部３１は、図２から図５、図７、図８に示すように、フレーム本体部１５から後方側に間隔をあけて後壁側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４２】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４３】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４４】
これにより、左右一対の全ねじボルトである連結部材３６は、同高さ位置で平行に配設されるとともに、フレーム本体部１５の一対の縦材１７、１８の間隔よりも大きな所定の間隔をあけて配設され、後壁１０１の壁材の所定位置に面接触した補強木３５とフレーム本体部１５の横材１９（フレーム本体部１５の上端部側）とを連結する。
【００４５】
また、このとき、連結部材３６が全ねじボルトであることにより、補強材３５とフレーム本体部１５の前後方向Ｔ１の間隔を自在に調整することが可能になる。これにより、フレーム本体部１５の設置位置ひいては便器本体４の設置位置を自在に調整することが可能になる。さらに、後壁１０１に不陸がある場合など、一対の連結部材３６の長さをそれぞれ調整することで、好適に補強材３５及びフレーム本体部１５を位置決めして配設することが可能になる。
【００４６】
固定具３７は、図７、図８に示すように、例えば、補強木３５の両端部側にそれぞれ接続し、補強木３５の各端部と建築部材（１０４、１０５、１０６）とを接続するための固定金具であり、補強木３５の一端部又は他端部に接続する補強木側接続部４０と、建築部材の壁材１０１を通じて壁裏に配された建築部材（補強下地１０５や柱側受け木１０６）に接続する壁側接続部４１と、建築部材の柱材（隅柱１０４）に接続する柱側接続部４２とを備えている。
【００４７】
本実施形態の左右一対の固定具３７はそれぞれ、水平の横方向に延設された補強木３５の前面に面接触してビス止め（又はボルト止め）して接続するための略平板状の補強木側接続部４０と、補強木側接続部４０から補強木３５の端部（側端部）を覆うように後方に延びる略平板状の段部４３と、段部４３から補強木３５の幅方向Ｔ２外側に延びる略平板状の壁側接続部４１と、壁側接続部４１から幅方向Ｔ２外側に向かうに従い漸次前方側に延びる、すなわち、斜めに延設された略平板状の柱側接続部４２と、柱側接続部４２から柱材（隅柱１０４）の側面に沿って前方に延びる添え板部４４とを備えて形成されている。
【００４８】
補強木側接続部４０と壁側接続部４１と柱側接続部４２にはそれぞれ、ビス（又はボルト）を挿通して補強木側接続部４０と壁側接続部４１と柱側接続部４２をそれぞれ補強木３５、又は建築部材（１０４、１０５、１０６）に接続するための複数の貫通孔が設けられている。
【００４９】
壁側接続部４１には、例えば、隣り合う一対の隅柱１０４に支持させて架設され、壁裏に配設された建築部材の補強下地（横受け木）１０５に接続するための複数の補強下地用の貫通孔４５と、隅柱１０４の柱材に取り付けて上下方向Ｔ３に延設された壁側受け木（縦受け木）１０６に接続するための複数の受け木用の貫通孔４６とが設けられている。
【００５０】
複数の補強下地用の貫通孔４５と複数の受け木用の貫通孔４６はそれぞれ、複数の貫通孔４５、４６が上下方向Ｔ３に一列に配設されず、少なくとも一部の貫通孔４５、４６がずれて分散配置されている。
【００５１】
また、壁側接続部４１の補強木３５の幅方向Ｔ２外側に延びる幅寸法、柱側接続部４２の角度や柱用の貫通孔４７の位置などが、柱側接続部４２をビス（ボルト、ネジボルト）で隅柱１０４の柱材に接続する際、固定具３７が電動工具などの工具に干渉せず、好適にビス（ボルト、ネジボルト）による接続固定作業が行えるように、使用する工具に応じて設定されている。
【００５２】
そして、例えば、補強木側接続部４０を補強木用の貫通孔４８にビスを挿通しつつ補強木３５の端部側に接続し、隅柱１０４に接続する際には、図７に示すように、柱側接続部４２の貫通孔４７や壁側接続部４１の受け木用の貫通孔４６にビスを挿通しつつ柱側接続部４２を隅柱１０４に、壁側接続部４１を柱側受け木１０６に接続し、補強下地１０５に接続する際には、図８に示すように、壁側接続部４１の補強下地用の貫通孔４５と受け木用の貫通孔４６にビスを挿通しつつ壁側接続部４１を補強下地１０５に接続し、固定具３７によって補強木３５を建築部材（１０４、１０５、１０６）に支持させて強固に設置する。
【００５３】
この補強木３５に連結部材３６を介してフレーム本体部１５が接続することで、フレーム本体部１５の一対の縦材１７、１８に後端部側をボルト接続して便器本体４を設け、フレーム本体部１５の後方側にタンク支持部材２２を取り付け、ロータンク７を載置して設けた場合であっても、フレーム本体部１５ひいては固定フレーム８によって便器本体４、ロータンク７を好適に支持して配設することができる。
【００５４】
また、フレーム本体部１５に取り付けられた排水管接続部材２４の便器排水孔接続部２６に便器本体４の排水孔４ｂが嵌合して接続され、排水管接続部材２４の配管接続部２７ひいては便器本体４の排水孔４ｂと、排水本管１１とが、蛇腹管やエルボ管、直管などの配管２８を用い、また、床構造１０３の排水管挿通孔３２を通じて接続される。
【００５５】
トイレ用キャビネット３は、図１から図３に示すように、フレーム本体部１５に支持させ、便器本体４とフレーム本体部１５の間に後壁１０１と平行に配設されて化粧面を形成する前パネル３ａと、前パネル３ａと後壁１０１との間の空間を閉塞するカウンターパネル（天板）３ｂとを備えて構成されている。これにより、キャビネット３内に、固定フレーム８、ロータンク７等の給水部１０、配管２８等の排水部１２が収容される。
【００５６】
そして、上記構成からなる本実施形態の壁掛け式の便器装置２（壁掛け便器用の固定具３７）においては、固定具３７が、補強木３５に接続する補強木側接続部４０と、柱側受け木１０６や補強下地１０５などの壁裏に配された建築部材に接続する壁側接続部４１と、隅柱１０４に接続する柱側接続部４２とを備えて構成されている。
【００５７】
これにより、補強木３５の長さを調整するなどし、左右一対の隅柱１０４に補強木３５を接続できるときには、柱側接続部４２を隅柱１０４や柱側受け木１０６にビス（ボルト、ネジボルト）で接続固定し、例えば一対の隅柱１０４の間隔が大きく、隅柱１０４に固定できないような場合には、壁側接続部４１を補強下地１０５や柱側受け木１０６に接続固定することで、補強木３５、ひいては便器本体４、ロータンク７などが取り付けられるフレーム本体部１５を建築部材に強固に接続して支持することができる。
【００５８】
また、本実施形態の壁掛け式の便器装置２（壁掛け便器用の固定具３７）においては、固定具３７が、便器本体４の幅方向Ｔ２に沿う水平の横方向に延設された補強木３５の前面に面接触して接続する補強木側接続部４０と、補強木側接続部４０から補強木３５の側端部を覆うように後方に延びる段部４３と、段部４３から補強木３５の幅方向Ｔ２外側に延びる壁側接続部４１と、壁側接続部４１から前方側に延びる柱側接続部４２とを備えて構成されている。
【００５９】
これにより、固定具３７の補強木側接続部４０と補強木３５との接続部分を強固に接続固定することができ、高耐力にすることが可能になる。また、壁側接続部４１の幅寸法を大きくとって貫通孔４５、４６を多く、且つ貫通孔４５、４６を分散して配置し、壁側接続部４１と補強下地１０５などとの接続部分を強固に接続固定することができ、この部分も高耐力にすることが可能になる。
【００６０】
さらに、壁側接続部４１に、補強下地用の貫通孔４５と、受け木用の貫通孔４６とが設けられていることにより、隅柱１０４に接続する場合でも、補強下地１０５に接続する場合でも、壁側接続部４１を柱側受け木１０６及び／又は補強下地１０５に接続固定することができ、より効果的に、補強木３５、ひいてはフレーム本体部１５を建築部材に強固に接続して支持することが可能になる。
【００６１】
さらに、本実施形態の壁掛け式の便器装置２（壁掛け便器用の固定具３７）においては、壁側接続部４１の補強木３５の幅方向Ｔ２外側に延びる幅寸法、柱側接続部４２の角度や貫通孔４７の位置などが、柱側接続部４２をビス（ボルト、ネジボルト）で隅柱１０４の柱材に接続する際、固定具３７が電動工具などの工具に干渉せず、好適にビス（ボルト、ネジボルト）による接続固定作業が行えるように、使用する工具に応じて設定されていることにより、好適な施工性を確保することができる。
【００６２】
よって、本実施形態の壁掛け式の便器装置２（壁掛け便器用の固定具３７）によれば、補強木３５を隅柱１０４に接続固定する場合でも、補強下地１０５に接続固定する場合でも、同じ固定具３７を用いて柔軟に対応することが可能になる。
【００６３】
以上、本発明に係る壁掛け便器用の固定具の一実施形態について説明したが、本発明は上記の一実施形態に限定されるものではなく、その趣旨を逸脱しない範囲で適宜変更可能である。
【符号の説明】
【００６４】
２  壁掛け式の便器装置（壁掛け便器）
４  便器本体
７  ロータンク
８  固定フレーム
１５  フレーム本体部
１６  接続支持部
３０  下側接続部
３１  上側接続部
３５  補強木
３６  連結部材
３７  固定具
４０  補強木側接続部
４１  壁側接続部
４２  柱側接続部
４３  段部
４４  添え板部
４５  補強下地用の貫通孔
４６  受け木用の貫通孔
４７  柱用の貫通孔
４８  補強木用の貫通孔
１００  トイレルーム
１０１  後壁（壁材、建築部材）
１０２  側壁
１０３  床構造
１０４  隅柱（柱材、建築部材）
１０５  補強下地（補強受け木、建築部材）
１０６  柱側受け木（受け木、建築部材）
Ｔ１  前後方向
Ｔ２  幅方向
Ｔ３  上下方向
【図１】
2020111919.tif 000003
【図２】
2020111919.tif 000004
【図３】
2020111919.tif 000005
【図４】
2020111919.tif 000006
【図５】
2020111919.tif 000007
【図６】
2020111919.tif 000008
【図７】
2020111919.tif 000009
【図８】
2020111919.tif 000010